(57)【特許請求の範囲】
【請求項１】
カット設定画面に印刷イメージを表示する表示部と、
前記表示部に重ねて設けられ、前記カット設定画面に対するタップ位置を検出する検出部と、
前記印刷イメージの長さ方向において、検出された前記タップ位置と重なる前記印刷イメージ上の位置に対応する、印刷媒体上の位置を、前記印刷媒体が前記印刷媒体の幅方向にカットされるカット位置とするカット情報を設定するカット情報設定部と、
を備え、
前記カット情報設定部は、前記印刷媒体に印刷される２つのキャラクター間を前記カット位置とする前記カット情報が設定された場合に、前記カット情報が規定する前記カット位置に対し、前記印刷媒体の長さ方向における前後の少なくとも一方に余白が付加されるにように、前記カット位置を補正することを特徴とする情報処理装置。
【請求項２】
前記表示部は、前記カット設定画面で、前記印刷イメージの長さ方向において、検出された前記タップ位置と重なる前記印刷イメージ上の位置に、印刷対象となるキャラクターが表示されている場合に、前記カット位置を設定するか否かを確認するメッセージを表示することを特徴とする請求項１に記載の情報処理装置。
【請求項３】
前記表示部は、前記印刷イメージの長さ方向における寸法を示すゲージイメージを、前記カット設定画面に表示することを特徴とする請求項１または２に記載の情報処理装置。
【請求項４】
コンピューターを、請求項１ないし３のいずれか一項に記載の情報処理装置として機能させるためのプログラム。
【請求項５】
表示部が、カット設定画面に印刷イメージを表示するステップと、
前記表示部に重ねて設けられた検出部が、前記カット設定画面に対するタップ位置を検出するステップと、
前記印刷イメージの長さ方向において、検出された前記タップ位置と重なる前記印刷イメージ上の位置に対応する、印刷媒体上の位置を、前記印刷媒体が前記印刷媒体の幅方向にカットされるカット位置とするカット情報を設定するステップと、
を実行し、
前記カット情報を設定するステップにおいて、前記印刷媒体に印刷される２つのキャラクター間を前記カット位置とする前記カット情報が設定された場合に、前記カット情報が規定する前記カット位置に対し、前記印刷媒体の長さ方向における前後の少なくとも一方に余白が付加されるにように、前記カット位置を補正することを特徴とする情報処理装置によるカット設定方法。
【請求項６】
情報処理装置および印刷装置を備えた印刷システムであって、
前記情報処理装置は、
カット設定画面に印刷イメージを表示する表示部と、
前記表示部に重ねて設けられ、前記カット設定画面に対するタップ位置を検出する検出部と、
前記印刷イメージの長さ方向において、検出された前記タップ位置と重なる前記印刷イメージ上の位置に対応する、印刷媒体上の位置を、前記印刷媒体が前記印刷媒体の幅方向にカットされるカット位置とするカット情報を設定するカット情報設定部と、
前記カット情報を前記印刷装置に送信する送信部と、を備え、
前記カット情報設定部は、前記印刷媒体に印刷される２つのキャラクター間を前記カット位置とする前記カット情報が設定された場合に、前記カット情報が規定する前記カット位置に対し、前記印刷媒体の長さ方向における前後の少なくとも一方に余白が付加されるにように、前記カット位置を補正し、
前記印刷装置は、
前記カット情報を受信する受信部と、
受信された前記カット情報が規定する前記カット位置で、前記印刷媒体をカットするカット部と、
を備えたことを特徴とする印刷システム。
【請求項７】
カット設定画面に、印刷イメージと、印刷媒体が前記印刷媒体の幅方向にカットされるカット位置を示すカットマークと、を表示する表示部と、
前記表示部に重ねて設けられ、前記カットマークに対するタップ操作を検出する検出部と、
前記カットマークに対するタップ操作が検出された場合に、前記カットマークに対応するカット情報が規定する、前記印刷媒体に対するカット法を、異なる前記カット法に変更するカット情報設定部と、
を備えたことを特徴とする情報処理装置。
【請求項８】
前記表示部は、前記カット法が異なる複数種の前記カットマークを、異なる色で表示することを特徴とする請求項７に記載の情報処理装置。
【請求項９】
コンピューターを、請求項７または８に記載の情報処理装置として機能させるためのプログラム。
【請求項１０】
表示部が、カット設定画面に、印刷イメージと、印刷媒体が前記印刷媒体の幅方向にカットされるカット位置を示すカットマークと、を表示するステップと、
前記表示部に重ねて設けられた検出部が、前記カットマークに対するタップ操作を検出するステップと、
前記カットマークに対するタップ操作が検出された場合に、前記カットマークに対応するカット情報が規定する、前記印刷媒体に対するカット法を、異なる前記カット法に変更するステップと、
を実行することを特徴とする情報処理装置によるカット設定方法。
【発明の詳細な説明】
【技術分野】
【０００１】
本発明は、印刷イメージを表示する情報処理装置、プログラム、情報処理装置によるカット設定方法、および印刷システムに関するものである。
【背景技術】
【０００２】
従来、テープ部材にキャラクターが印刷された印刷イメージをタッチパネルに表示し、タッチパネルに対する操作に基づいて、テープ部材をカットするカット位置を設定するテープ印字装置が知られている。このテープ印字装置では、ユーザーが、縦線を実線で引いた場合には、フルカットのカット位置が設定され、縦線を破線で引いた場合には、ハーフカットのカット位置が設定される。さらに、ユーザーがタッチペンで縦線を引くことによって表示されたマーク（縦の直線）と交差するようにタッチペンで斜線を引くことにより、設定されたカット位置がキャンセルされる（特許文献１参照）。
【先行技術文献】
【特許文献】
【０００３】
【特許文献１】特開２０１１−０６２９８５号公報
【発明の概要】
【発明が解決しようとする課題】
【０００４】
本発明者は、以下の課題を見出した。
従来のテープ印字装置では、カット位置を設定する際に、タッチパネルの上端近傍から下端近傍に至る縦線を引く必要があるため、縦線を引くのに時間が掛かってしまう。また、従来のテープ印字装置は、設定されたカット位置を変更することができない。さらに、従来のテープ印字装置は、設定されたカット位置に関して、カット法を変更（例えば、フルカットからハーフカットに変更）することができない。このように、従来のテープ印字装置は、カット位置を設定する操作、カット位置を変更する操作、或いはカット法を変更する操作に関して、操作性の高いユーザーインターフェースを提供するものではない。
【０００５】
本発明は、カット位置を設定する操作、カット位置を変更する操作、或いはカット法を変更する操作に関して、操作性の高いユーザーインターフェースを提供することができる情報処理装置、プログラム、情報処理装置によるカット設定方法、および印刷システムを提供することを課題としている。
【課題を解決するための手段】
【０００６】
本発明の情報処理装置は、カット設定画面に印刷イメージを表示する表示部と、表示部に重ねて設けられ、カット設定画面に対するタップ位置を検出する検出部と、印刷イメージの長さ方向において、検出されたタップ位置と重なる印刷イメージ上の位置に対応する、印刷媒体上の位置を、印刷媒体が印刷媒体の幅方向にカットされるカット位置とするカット情報を設定するカット情報設定部と、を備えたことを特徴とする。
【０００７】
本発明の情報処理装置によるカット設定方法は、表示部が、カット設定画面に印刷イメージを表示するステップと、表示部に重ねて設けられた検出部が、カット設定画面に対するタップ位置を検出するステップと、印刷イメージの長さ方向において、検出されたタップ位置と重なる印刷イメージ上の位置に対応する、印刷媒体上の位置を、印刷媒体が印刷媒体の幅方向にカットされるカット位置とするカット情報を設定するステップと、を実行することを特徴とする。
【０００８】
この構成によれば、カット設定画面に対してタップ操作が行われると、検出されたタップ位置と印刷イメージの長さ方向において重なる印刷イメージ上の位置に対応する印刷媒体上の位置を、カット位置とするカット情報が設定される。このため、ユーザーは、印刷媒体がカットされる所望の位置に対応する印刷イメージ上の位置と印刷イメージの長さ方向において重なる位置にタップ操作を行うだけで、所望の位置にカット位置を設定することができる。したがって、本構成によれば、カット位置を設定する操作に関して、操作性の高いユーザーインターフェースを提供することができる。
【０００９】
上記の情報処理装置において、表示部は、印刷イメージの長さ方向において、検出されたタップ位置と重なる印刷イメージ上の位置に、カット位置を示すカットマークを表示することが好ましい。
【００１０】
この構成によれば、設定されたカット情報が規定するカット位置を、カットマークにより、印刷イメージ上に表すことができる。
【００１１】
この場合、表示部は、カット設定画面で、印刷イメージの長さ方向において、検出されたタップ位置と重なる印刷イメージ上の位置に、印刷対象となるキャラクターが表示されている場合に、カット位置を設定するか否かを確認するメッセージを表示することが好ましい。
【００１２】
この構成によれば、印刷イメージの長さ方向において、検出されたタップ位置と重なる印刷イメージ上の位置に、キャラクターが表示されている場合に、その位置に対応する印刷媒体上の位置に、カット位置を設定してよいか、ユーザーに注意を促すことができる。
【００１３】
この場合、カット情報設定部は、カット情報が規定するカット位置に対し、印刷媒体の長さ方向における前後の少なくとも一方に余白が付加されるにように、カット位置を補正することが好ましい。
【００１４】
この構成によれば、カット位置に対して余白が付加された印刷物を得ることができる。
【００１５】
上記の情報処理装置において、表示部は、印刷イメージの長さ方向における寸法を示すゲージイメージを、カット設定画面に表示することが好ましい。
【００１６】
この構成によれば、ユーザー所定の長さの印刷物を作成したい場合に、カット設定画面に対してタップ操作を行う位置或いはドラッグ操作を行う位置を決めるための指標を、ユーザーに提供することができる。
【００１７】
本発明のプログラムは、コンピューターを、上記の情報処理装置として機能させるためのものである。
【００１８】
本発明の印刷システムは、情報処理装置および印刷装置を備えた印刷システムであって、情報処理装置は、カット設定画面に印刷イメージを表示する表示部と、表示部に重ねて設けられ、カット設定画面に対するタップ位置を検出する検出部と、印刷イメージの長さ方向において、検出されたタップ位置と重なる印刷イメージ上の位置に対応する、印刷媒体上の位置を、印刷媒体が印刷媒体の幅方向にカットされるカット位置とするカット情報を設定するカット情報設定部と、カット情報を印刷装置に送信する送信部と、を備え、印刷装置は、カット情報を受信する受信部と、受信されたカット情報が規定するカット位置で、印刷媒体をカットするカット部と、を備えたことを特徴とする。
【００１９】
この構成によれば、タップ操作に基づいて設定されたカット位置で印刷媒体がカットされる。
【００２０】
本発明の他の情報処理装置は、カット設定画面に、印刷イメージと、印刷媒体が印刷媒体の幅方向にカットされるカット位置を示すカットマークと、を表示する表示部と、表示部に重ねて設けられ、カットマークに対するタップ操作を検出する検出部と、カットマークに対するタップ操作が検出された場合に、カットマークに対応するカット情報が規定する、印刷媒体に対するカット法を、異なるカット法に変更するカット情報設定部と、を備えたことを特徴とする。
【００２１】
本発明の他の情報処理装置によるカット設定方法は、表示部が、カット設定画面に、印刷イメージと、印刷媒体が印刷媒体の幅方向にカットされるカット位置を示すカットマークと、を表示するステップと、表示部に重ねて設けられた検出部が、カットマークに対するタップ操作を検出するステップと、カットマークに対するタップ操作が検出された場合に、カットマークに対応するカット情報が規定する、印刷媒体に対するカット法を、異なるカット法に変更するステップと、を実行することを特徴とする。
【００２２】
この構成によれば、カットマークに対してタップ操作が行われると、そのカットマークに対応するカット情報が規定するカット法が、異なるカット法に変更される。そのため、ユーザーは、カットマークに対してタップ操作を行うだけで、カット法を変更することができる。したがって、本構成によれば、カット法を変更する操作に関して、操作性の高いユーザーインターフェースを提供することができる。
【００２３】
上記の情報処理装置において、表示部は、カット法が異なる複数種のカットマークを、異なる色で表示することが好ましい。
【００２４】
この構成によれば、カットマークに対応するカット情報が規定するカット法を、色によって表すことができる。
【００２５】
本発明のプログラムは、コンピューターを、上記の情報処理装置として機能させるためのものである。
【００２６】
本発明の他の情報処理装置は、カット設定画面に、印刷イメージと、印刷媒体が印刷媒体の幅方向にカットされるカット位置を示すカットマークと、を表示する表示部と、表示部に重ねて設けられ、カット設定画面においてカットマークに対するドラッグ操作が完了したドラッグ完了位置を検出する検出部と、ドラッグ操作が行われたカットマークに対応するカット情報が規定するカット位置を、印刷イメージの長さ方向において、検出されたドラッグ完了位置と重なる印刷イメージ上の位置に対応する、印刷媒体上の位置に変更するカット情報設定部と、を備えたこと。
【００２７】
本発明の他の情報処理装置によるカット設定方法は、表示部が、カット設定画面に、印刷イメージと、印刷媒体が印刷媒体の幅方向にカットされるカット位置を示すカットマークと、を表示するステップと、表示部に重ねて設けられた検出部が、カット設定画面においてカットマークに対するドラッグ操作が完了したドラッグ完了位置を検出するステップと、ドラッグ操作が行われたカットマークに対応するカット情報が規定するカット位置を、印刷イメージの長さ方向において、検出されたドラッグ完了位置と重なる印刷イメージ上の位置に対応する、印刷媒体上の位置に変更するステップと、を実行することを特徴とする。
【００２８】
この構成によれば、カット設定画面においてカットマークに対してドラッグ操作が行われると、ドラッグ操作が行われたカットマークに対応するカット情報が規定するカット位置が、検出されたドラッグ完了位置と印刷イメージの長さ方向において重なる印刷イメージ上の位置に対応する印刷媒体上の位置に変更される。このため、ユーザーは、印刷媒体がカットされる所望の位置に対応する印刷イメージ上の位置と印刷イメージの長さ方向において重なる位置まで、カットマークに対してドラッグ操作を行うだけで、所望の位置にカット位置を変更することができる。したがって、本構成によれば、カット位置を変更する操作に関して、操作性の高いユーザーインターフェースを提供することができる。
【００２９】
本発明のプログラムは、コンピューターを、上記の情報処理装置として機能させるためのものである。
【図面の簡単な説明】
【００３０】
【図１】本発明の一実施形態に係る印刷システムを示す図である。
【図２】印刷システムのブロック図である。
【図３】デバイス側制御回路の機能構成を示すブロック図である。
【図４】スマートデバイスが実行する処理の流れを示すフローチャートである。
【図５】キャラクター入力画面を示す図である。
【図６】スマートデバイスが実行するカット設定処理の流れを示すフローチャートである。
【図７】カット設定画面を示す図である。
【図８】カット設定処理のなかのカット情報設定処理について説明するための図である。
【図９】カット設定処理のなかのカット法変更処理について説明するための図である。
【図１０】カット設定処理のなかのカット位置変更処理について説明するための図である。
【図１１】メッセージボックスが表示されたカット設定画面を示す図である。
【図１２】カット位置の前後に余白が付加されたラベル片を示す図である。
【図１３】ゲージイメージが表示されたカット設定画面を示す図である。
【発明を実施するための形態】
【００３１】
以下、添付の図面を参照して、本発明の一実施形態について説明する。
【００３２】
図１に基づいて、印刷システムＳＹについて説明する。印刷システムＳＹは、テープ印刷装置１と、スマートデバイス２とを備えている。テープ印刷装置１とスマートデバイス２とは、通信可能に無線接続されている。
【００３３】
テープ印刷装置１は、カートリッジ装着部１１と、テープ排出口１２とを備えている。テープ印刷装置１は、スマートデバイス２から受信した画像データおよびカット情報に基づいて、カートリッジ装着部１１に装着されたテープカートリッジＣのテープＴに対して、印刷およびカットを行う。テープ排出口１２から排出されたテープＴの印刷済み部分は、切り離されて、テープ片Ｕ（図８ないし図１０参照）となる。テープＴは、印刷画像が印刷されるテープ本体Ｔａと、テープ本体Ｔａの貼着面に剥離可能に貼付された剥離紙Ｔｂとを備えている。得られたテープ片Ｕのうち、剥離紙Ｔｂから剥がされたテープ本体Ｔａが、ラベルＬとして所望の箇所に貼り付けられる。
【００３４】
スマートデバイス２としては、例えば、スマートフォン、タブレット端末などを用いることができる。スマートデバイス２には、テープ印刷装置１に対応したアプリケーションプログラム（以下「対応アプリ」という。）がインストールされている。スマートデバイス２は、タッチパネル２２を備えている。タッチパネル２２は、ユーザーによるキャラクターの入力・編集操作等を検出する。なお、キャラクターとは、文字、記号、絵文字等を含む概念である。スマートデバイス２は、タッチパネル２２により検出された入力・編集操作等に基づいて、画像データを作成し、画像データおよびカット情報をテープ印刷装置１に送信する。
【００３５】
図２に基づいて、テープ印刷装置１およびスマートデバイス２について説明する。テープ印刷装置１は、送り機構１３と、印刷ヘッド１４と、フルカッター１５１と、ハーフカッター１５２と、モーター１６と、装置側インターフェース１７と、装置側制御回路１８とを備えている。
【００３６】
送り機構１３は、カートリッジ装着部１１にテープカートリッジＣが装着された状態で、テープカートリッジＣに収容されたプラテンローラー（図示省略）を回転させる。これにより、テープカートリッジＣに収容されたテープＴおよびインクリボン（図示省略）が送られる。
【００３７】
印刷ヘッド１４は、テープＴおよびインクリボンをプラテンローラーとの間に挟持した状態で、受信された画像データに基づいて発熱駆動する。これにより、インクリボンのインクがテープＴに転写され、テープＴにキャラクターが印刷される。
【００３８】
フルカッター１５１は、テープＴに対してフルカットを行う。フルカットとは、テープ本体Ｔａと剥離紙Ｔｂとの双方をテープＴの幅方向に切断することをいう。このフルカットにより、テープＴの印刷済み部分が切り離される。ハーフカッター１５２は、テープＴに対してハーフカットを行う。ハーフカットとは、剥離紙Ｔｂを切断することなく、テープ本体Ｔａを切断することをいう。このハーフカットにより、テープＴに切れ目Ｔｃが形成され、一つのテープ片Ｕに複数のラベルＬが設けられる（図９参照）。モーター１６は、送り機構１３、フルカッター１５１およびハーフカッター１５２の駆動源となる。
【００３９】
装置側インターフェース１７は、後述するデバイス側インターフェース２４との間で、各種コマンドや各種データを送受信する。
【００４０】
装置側制御回路１８は、テープ印刷装置１の各部を制御する。装置側制御回路１８は、ＣＰＵ１８１（Central Processing Unit）と、ＲＯＭ１８２（Read Only Memory）と、ＲＡＭ１８３（Random Access Memory）とを備えている。ＣＰＵ１８１は、ＲＯＭ１８２に記憶されている各種プログラムを、ＲＡＭ１８３を用いて実行することにより、各種処理を実行する。
【００４１】
スマートデバイス２は、ディスプレイ２１と、タッチパネル２２と、デバイス側インターフェース２４と、デバイス側制御回路２５とを備えている。
【００４２】
ディスプレイ２１は、各種画面を表示する。ディスプレイ２１としては、例えば、カラー液晶ディスプレイが用いられる。また、タッチパネル２２は、ディスプレイ２１に重ねて設けられ、ユーザーの各種タッチ操作を検出する。
【００４３】
デバイス側インターフェース２４は、上記の装置側インターフェース１７との間で、各種コマンドや各種データを送受信する。
【００４４】
デバイス側制御回路２５は、スマートデバイス２の各部を制御する。デバイス側制御回路２５は、ＣＰＵ２５１と、フラッシュメモリー２５２と、ＲＡＭ２５３とを備えている。ＣＰＵ２５１は、フラッシュメモリー２５２に記憶されている各種プログラム（対応アプリを含む）を、ＲＡＭ２５３を用いて実行することにより、各種処理を実行する。
【００４５】
ＲＡＭ２５３は、キャラクター列記憶部２５４と、カット情報記憶部２５５とを備えている。
【００４６】
キャラクター列記憶部２５４は、キャラクター列データを記憶する。キャラクター列データは、複数のキャラクターデータにより構成される。各キャラクターデータは、ユーザーによりタッチパネル２２から入力されたキャラクターのコードデータと、キャラクターのフォントサイズや修飾内容（例えば斜体）などを示すフォントデータとから構成される。
【００４７】
カット情報記憶部２５５は、後述するカット情報設定部２５７により設定されたカット情報を記憶する。カット情報は、テープ印刷装置１においてテープＴがカットされるカット位置（テープＴの先端からの距離）およびカット法（フルカットかハーフカットか）を規定する。
【００４８】
図３に基づいて、デバイス側制御回路２５の各機能部の構成について説明する。デバイス側制御回路２５は、画像データ作成部２５６と、カット情報設定部２５７とを備えている。これらの各機能部は、デバイス側制御回路２５を構成するハードウェアと、フラッシュメモリー２５２に記憶された対応アプリ等のソフトウェアとの協働によって実現される。
【００４９】
画像データ作成部２５６は、キャラクター列記憶部２５４に記憶されたキャラクター列データに基づいて、画像データを作成する。作成された画像データは、テープ印刷装置１に送信され、テープ印刷装置１は、受信した画像データに基づいて、印刷ヘッド１４を駆動し、テープＴに対して印刷を行う。
【００５０】
カット情報設定部２５７は、詳細は後述するように、カット情報の設定および変更を行う。設定されたカット情報は、テープ印刷装置１に送信され、テープ印刷装置１は、受信したカット情報に基づいて、テープＴをカットする。すなわち、テープ印刷装置１は、カット情報が規定するテープＴ上のカット位置が、カット情報が規定するカット法に対応するカッターの位置まで到達するようにテープＴを送った後、そのカッターを駆動する。これにより、カット情報が規定するテープＴ上のカット位置に、カット情報が規定するカット法で、カットが行われる。
【００５１】
図４に基づいて、デバイス側制御回路２５の処理手順について説明する。デバイス側制御回路２５は、対応アプリが起動された後、ステップＳ１において、ディスプレイ２１にキャラクター入力画面Ｄ１を表示させる。キャラクター入力画面Ｄ１には、ソフトウェアキーボードＤ１ａと、キャラクター入力欄Ｄ１ｂと、印刷ボタンＤ１ｃと、カット設定ボタンＤ１ｄとが表示される（図５参照）。
【００５２】
デバイス側制御回路２５は、ステップＳ２に進み、タッチパネル２２によりキャラクター入力画面Ｄ１に対するタッチ操作が検出されたか否かを判断する。デバイス側制御回路２５は、タッチ操作が検出されたと判断した場合（Ｓ２；Ｙｅｓ）、ステップＳ３に進む。デバイス側制御回路２５は、タッチ操作が検出されていないと判断した場合（Ｓ２；Ｎｏ）、ステップＳ２を繰り返してキャラクター入力画面Ｄ１に対するタッチ操作を待機する。
【００５３】
デバイス側制御回路２５は、ステップＳ３において、ステップＳ２で検出されたタッチ操作が、ソフトウェアキーボードＤ１ａに対するタップ操作であるか否かを判断する。デバイス側制御回路２５は、ソフトウェアキーボードＤ１ａに対するタップ操作であると判断した場合（Ｓ３；Ｙｅｓ）、ステップＳ４に進む。一方、デバイス側制御回路２５は、ソフトウェアキーボードＤ１ａに対するタップ操作ではないと判断した場合（Ｓ３；Ｎｏ）、ステップＳ５に進む。
【００５４】
デバイス側制御回路２５は、ステップＳ４において、キャラクター入力処理を行う。キャラクター入力処理では、デバイス側制御回路２５が、ソフトウェアキーボードＤ１ａのなかでタップ操作が行われたキーに対応するコードデータをキャラクター列記憶部２５４に記憶する。キャラクター入力欄Ｄ１ｂには、キャラクター列記憶部２５４に記憶されたコードデータに基づいて、入力されたキャラクターが表示される。デバイス側制御回路２５は、キャラクター入力処理を完了すると、ステップＳ２に戻り、キャラクター入力画面Ｄ１に対するタッチ操作を待機する。
【００５５】
デバイス側制御回路２５は、ステップＳ５において、ステップＳ２で検出されたタッチ操作が、カット設定ボタンＤ１ｄに対するタップ操作であるか否かを判断する。デバイス側制御回路２５は、カット設定ボタンＤ１ｄに対するタップ操作であると判断した場合（Ｓ５；Ｙｅｓ）、ステップＳ６に進む。一方、デバイス側制御回路２５は、カット設定ボタンＤ１ｄに対するタップ操作ではないと判断した場合（Ｓ５；Ｎｏ）、ステップＳ７に進む。
【００５６】
デバイス側制御回路２５は、ステップＳ６において、後述するカット設定処理を行う。デバイス側制御回路２５は、カット設定処理を完了すると、ステップＳ２に戻り、キャラクター入力画面Ｄ１に対するタッチ操作を待機する。
【００５７】
デバイス側制御回路２５は、ステップＳ７において、ステップＳ２で検出されたタッチ操作が、印刷ボタンＤ１ｃに対するタップ操作であるか否かを判断する。デバイス側制御回路２５は、印刷ボタンに対するタップ操作であると判断した場合（Ｓ７；Ｙｅｓ）、ステップＳ８に進む。一方、デバイス側制御回路２５は、印刷ボタンに対するタップ操作ではないと判断した場合（Ｓ７；Ｎｏ）、ステップＳ９に進む。
【００５８】
デバイス側制御回路２５は、ステップＳ８において、印刷制御処理を行う。印刷制御処理では、デバイス側制御回路２５が、画像データを作成し、画像データおよびカット情報を、テープ印刷装置１に送信する。デバイス側制御回路２５は、印刷制御処理を完了すると、ステップＳ２に戻り、キャラクター入力画面Ｄ１に対するタッチ操作を待機する。
【００５９】
デバイス側制御回路２５は、ステップＳ９において、その他の処理を実行する。デバイス側制御回路２５は、その他の処理を完了すると、ステップＳ２に戻り、キャラクター入力画面Ｄ１に対するタッチ操作を待機する。
【００６０】
図６に基づいて、図４のフローチャートにおけるステップＳ６のカット設定処理の流れについて説明する。デバイス側制御回路２５は、ステップＳ１１において、カット設定画面Ｄ２を表示する。カット設定画面Ｄ２には、印刷イメージＤ２ａと、カットマークＭと、印刷ボタンＤ２ｃと、戻りボタンＤ２ｄとが表示される（図７参照）。
【００６１】
カットマークＭは、対応するカット情報が規定するカット位置を、印刷イメージＤ２ａ上に示すものである。カットマークＭには、フルカットマークＭｆおよびハーフカットマークＭｈが含まれる。フルカットマークＭｆは、対応するカット情報が規定するカット法が、フルカットであることを示す。すなわち、フルカットマークＭｆは、その位置でフルカットが行われることを示す。ハーフカットマークＭｈは、対応するカット情報が規定するカット法が、ハーフカットであることを示す。すなわち、ハーフカットマークＭｈは、その位置でハーフカットが行われることを示す。フルカットマークＭｆとハーフカットマークＭｈとは、異なる色で表示される。例えば、フルカットマークＭｆは、青色（図示では黒色）で表示され、ハーフカットマークＭｈは、黄色（図示では灰色）で表示される。
【００６２】
デバイス側制御回路２５は、ステップＳ１２に進み、タッチパネル２２によりカット設定画面Ｄ２に対するタッチ操作が検出されたか否かを判断する。デバイス側制御回路２５は、タッチ操作が検出されたと判断した場合（Ｓ１２；Ｙｅｓ）、ステップＳ１３に進む。デバイス側制御回路２５は、タッチ操作が検出されていないと判断した場合（Ｓ１２；Ｎｏ）、ステップＳ１２を繰り返してカット設定画面Ｄ２に対するタッチ操作を待機する。
【００６３】
デバイス側制御回路２５は、ステップＳ１３において、ステップＳ１２で検出されたタッチ操作が、カットマークＭ、印刷ボタンＤ２ｃおよび戻りボタンＤ２ｄ以外の領域（以下「他領域」という。）に対するタップ操作であるか否かを判断する。デバイス側制御回路２５は、他領域に対するタップ操作であると判断した場合（Ｓ１３；Ｙｅｓ）、ステップＳ１４に進む、一方、デバイス側制御回路２５は、他領域に対するタップ操作ではないと判断した場合（Ｓ１３；Ｎｏ）、ステップＳ１５に進む。なお、他領域に対するタップ操作は、印刷イメージＤ２ａ内に対するものでもよく、印刷イメージＤ２ａ外に対するものでもよい。
【００６４】
デバイス側制御回路２５は、ステップＳ１４において、後述するカット情報設定処理を行う。デバイス側制御回路２５は、カット情報設定処理を完了すると、ステップＳ１２に戻り、カット設定画面Ｄ２に対するタッチ操作を待機する。
【００６５】
デバイス側制御回路２５は、ステップＳ１５において、ステップＳ１２で検出されたタッチ操作が、カットマークＭに対するタップ操作であるか否かを判断する。デバイス側制御回路２５は、カットマークＭに対するタップ操作であると判断した場合（Ｓ１５；Ｙｅｓ）、ステップＳ１６に進む。一方、デバイス側制御回路２５は、カットマークＭに対するタップ操作ではないと判断した場合（Ｓ１５；Ｎｏ）、ステップＳ１７に進む。
【００６６】
デバイス側制御回路２５は、ステップＳ１６において、後述するカット法変更処理を行う。デバイス側制御回路２５は、カット法変更処理を完了すると、ステップＳ１２に戻り、カット設定画面Ｄ２に対するタッチ操作を待機する。
【００６７】
デバイス側制御回路２５は、ステップＳ１７において、ステップＳ１２で検出されたタッチ操作が、カットマークＭに対するドラッグ操作（スワイプ操作）であるか否かを判断する。デバイス側制御回路２５は、カットマークＭに対するドラッグ操作であると判断した場合（Ｓ１７；Ｙｅｓ）、ステップＳ１８に進む。一方、デバイス側制御回路２５は、カットマークＭに対するドラッグ操作ではないと判断した場合（Ｓ１７；Ｎｏ）、ステップＳ１９に進む。
【００６８】
デバイス側制御回路２５は、ステップＳ１８において、後述するカット位置変更処理を行う。デバイス側制御回路２５は、カット位置変更処理を完了すると、ステップＳ１２に戻り、カット設定画面Ｄ２に対するタッチ操作を待機する。
【００６９】
デバイス側制御回路２５は、ステップＳ１９において、ステップＳ１２で検出されたタッチ操作が、印刷ボタンＤ２ｃに対するタップ操作であるか否かを判断する。デバイス側制御回路２５は、印刷ボタンに対するタップ操作であると判断した場合（Ｓ１９；Ｙｅｓ）、ステップＳ２０に進む。一方、デバイス側制御回路２５は、印刷ボタンに対するタップ操作ではないと判断した場合（Ｓ１９；Ｎｏ）、ステップＳ２１に進む。
【００７０】
デバイス側制御回路２５は、ステップＳ２０において、印刷制御処理を行う。印刷制御処理では、デバイス側制御回路２５が、画像データを作成し、画像データおよびカット情報を、テープ印刷装置１に送信する。デバイス側制御回路２５は、印刷制御処理を完了すると、ステップＳ１２に戻る。
【００７１】
デバイス側制御回路２５は、ステップＳ２１において、ステップＳ１２で検出されたタッチ操作が、戻りボタンＤ２ｄに対するタップ操作であるか否かを判断する。デバイス側制御回路２５は、戻りボタンＤ２ｄに対するタップ操作であると判断した場合（Ｓ２１；Ｙｅｓ）、図４のフローチャートのステップＳ２に戻り、キャラクター入力画面Ｄ１に対するタッチ操作を待機する。一方、デバイス側制御回路２５は、戻りボタンＤ２ｄに対するタップ操作ではないと判断した場合（Ｓ２１；Ｎｏ）、ステップＳ２２に進む。
【００７２】
デバイス側制御回路２５は、ステップＳ２２において、その他の処理を実行する。デバイス側制御回路２５は、その他の処理を完了すると、ステップＳ１２に戻り、カット設定画面Ｄ２に対するタッチ操作を待機する。
【００７３】
図８に基づいて、図６のフローチャートにおけるステップＳ１４のカット情報設定処理について説明する。カット情報設定処理は、上述したように、カット設定画面Ｄ２において、他領域に対するタップ操作が検出された場合に行われる処理である。以下の説明では、例として、テープＴにキャラクター列「ＡＢＣ１２３」が印刷された状態を示す印刷イメージＤ２ａを用いて説明する。
【００７４】
なお、カット設定画面Ｄ２が表示された時点で、カット情報記憶部２５５には、「ＡＢＣ１２３」のうちの「３」の後方の位置をカット位置とし、フルカットをカット法としたカット情報（以下「カット情報ａ」という。）が予め記憶されている。
【００７５】
カット情報設定処理では、カット情報設定部２５７は、印刷イメージＤ２ａの長さ方向において、検出されたタップ位置と重なる印刷イメージＤ２ａ上の位置に対応する、テープＴ上の位置を、カット位置とし、フルカットをカット法とするカット情報を設定する。印刷イメージＤ２ａの長さ方向とは、印刷イメージＤ２ａに含まれるテープＴのイメージの長さ方向を意味する。
【００７６】
また、ディスプレイ２１は、印刷イメージＤ２ａの長さ方向において、検出されたタップ位置と重なる印刷イメージＤ２ａ上の位置に、フルカットマークＭｆを表示する。
【００７７】
例えば、図８に示すように、カット設定画面Ｄ２で、印刷イメージＤ２ａの長さ方向において、「ＡＢＣ１２３」のうちの「Ｃ」と「１」との間の位置に対して、タップ操作が行われたものとする。この場合、カット情報設定部２５７は、印刷イメージＤ２ａの長さ方向において検出されたタップ位置と重なる印刷イメージＤ２ａ上の位置（印刷イメージＤ２ａ上の「Ｃ」と「１」との間の位置）に対応する、テープＴ上の位置（テープＴ上の「Ｃ」と「１」との間の位置）をカット位置とし、フルカットをカット法とするカット情報（以下「カット情報ｂ」という。）を、設定する。また、カット設定画面Ｄ２には、印刷イメージＤ２ａの長さ方向において検出されたタップ位置と重なる印刷イメージＤ２ａ上の位置（印刷イメージＤ２ａの「Ｃ」と「１」との間の位置）に、フルカットマークＭｆが表示される。
【００７８】
このようにしてカット情報ｂが設定された後、印刷ボタンＤ２ｃがタップされると、カット情報ａおよびカット情報ｂが、テープ印刷装置１に送信される。テープ印刷装置１は、受信したカット情報ａおよびカット情報ｂに基づき、カット情報ｂが規定するテープＴ上の位置でフルカットを行い、カット情報ａが規定するテープＴ上の位置でフルカットを行う。すなわち、テープ印刷装置１は、「Ｃ」と「１」との間の位置でフルカットを行い、「３」の後方の位置でフルカットを行う。その結果、「ＡＢＣ」が印刷されたテープ片Ｕと、「１２３」が印刷されたテープ片Ｕとが得られる。
【００７９】
このため、ユーザーは、「ＡＢＣ」が印刷されたテープ片Ｕと、「１２３」が印刷されたテープ片Ｕとを作成したい場合に、「ＡＢＣ」を入力して印刷を行った後、「１２３」を入力して印刷を行う、というように、キャラクターの入力と印刷とを繰り返し行う必要がない。「ＡＢＣ１２３」をまとめて入力した後、「Ｃ」と「１」との間をタップしてカット位置を設定し、印刷を行えば、「ＡＢＣ」が印刷されたテープ片Ｕと、「１２３」が印刷されたテープ片Ｕとを一挙に得ることができる。
【００８０】
図９に基づいて、図６のフローチャートにおけるステップＳ１６のカット法変更処理について説明する。カット法変更処理は、上述したように、カット設定画面Ｄ２において、カットマークＭに対するタップ操作が検出された場合に行われる処理である。
【００８１】
カット法変更処理では、カット情報設定部２５７は、タップ操作が行われたカットマークＭに対応するカット情報が規定するカット法を、他のカット法に変更する。すなわち、カット設定画面Ｄ２において、フルカットマークＭｆに対するタップ操作が行われると、カット情報設定部２５７は、タップ操作が行われたフルカットマークＭｆに対応するカット情報が規定するカット法を、フルカットからハーフカットに変更する。同様に、カット設定画面Ｄ２において、ハーフカットマークＭｈに対するタップ操作が行われると、カット情報設定部２５７は、タップ操作が行われたハーフカットマークＭｈに対応するカット情報が規定するカット法を、ハーフカットからフルカットに変更する。
【００８２】
また、カット設定画面Ｄ２において、フルカットマークＭｆに対するタップ操作が行われると、ディスプレイ２１は、フルカットマークＭｆに代えてハーフカットマークＭｈを表示する。同様に、カット設定画面Ｄ２において、ハーフカットマークＭｈに対するタップ操作が行われると、ディスプレイ２１は、ハーフカットマークＭｈに代えてフルカットマークＭｆを表示する。
【００８３】
例えば、上述したように、「ＡＢＣ１２３」のうちの「Ｃ」と「１」との間の位置をカット位置とし、フルカットをカット法としたカット情報ｂが設定された後、図９に示すように、カット設定画面Ｄ２において、カット情報ｂに対応したフルカットマークＭｆに対して、タップ操作が行われたものとする。この場合、カット情報設定部２５７は、タップ操作が行われたフルカットマークＭｆに対応するカット情報ｂが規定するカット法を、ハーフカットに変更する。また、カット設定画面Ｄ２には、フルカットマークＭｆに代えて、ハーフカットマークＭｈが表示される。
【００８４】
このようにしてカット情報ｂのカット法がフルカットからハーフカットに変更された後、印刷ボタンＤ２ｃがタップされると、カット情報ａおよびカット情報ｂが、テープ印刷装置１に送信される。テープ印刷装置１は、受信したカット情報ａおよびカット情報ｂに基づき、カット情報ｂが規定するテープＴ上の位置でハーフカットを行い、カット情報ａが規定するテープＴ上の位置でフルカットを行う。すなわち、テープ印刷装置１は、「Ｃ」と「１」との間の位置でハーフカットを行い、「３」の後方の位置でフルカットを行う。その結果、「Ｃ」と「１」との間の位置に切れ目Ｔｃが形成され、この切れ目Ｔｃにより、「ＡＢＣ」が印刷されたラベルＬと、「１２３」が印刷されたラベルＬとが設けられたテープ片Ｕが得られる。
【００８５】
図１０に基づいて、図６のフローチャートにおけるステップＳ１８のカット位置変更処理について説明する。カット位置変更処理は、上述したように、カット設定画面Ｄ２において、カットマークＭに対するドラッグ操作が検出された場合に行われる処理である。
【００８６】
カット位置変更処理では、カット情報設定部２５７は、ドラッグ操作が行われたカットマークＭに対応するカット情報が規定するカット位置を変更する。
【００８７】
また、カット設定画面Ｄ２において、カットマークＭに対するドラッグ操作が行われると、ディスプレイ２１は、ドラッグ操作に伴ってカットマークＭが移動するように表示する。
【００８８】
例えば、上述したように、「ＡＢＣ１２３」のうちの「Ｃ」と「１」との間の位置をカット位置とし、フルカットをカット法としたカット情報ｂが設定された後、図１０に示すように、カット設定画面Ｄ２において、カット情報ｂに対応したフルカットマークＭｆに対して、「１」と「２」の間の位置まで、ドラッグ操作が行われたものとする。この場合、カット情報設定部２５７は、ドラッグ操作が行われたフルカットマークＭｆに対応するカット情報ｂが規定するカット位置を、印刷イメージＤ２ａの長さ方向において検出されたドラッグ完了位置と重なる印刷イメージＤ２ａ上の位置（印刷イメージＤ２ａの「１」と「２」との間の位置）に対応する、テープＴ上の位置（テープＴ上の「１」と「２」との間の位置）に変更する。さらに、ディスプレイ２１は、ドラッグ操作に伴ってフルカットマークＭｆが移動するように表示する。その結果、カット設定画面Ｄ２には、印刷イメージＤ２ａの長さ方向において検出されたドラッグ完了位置と重なる印刷イメージＤ２ａ上の位置（印刷イメージＤ２ａの「１」と「２」との間の位置）に、フルカットマークＭｆが表示される。
【００８９】
このようにしてカット情報ｂのカット位置が変更された後、印刷ボタンＤ２ｃがタップされると、カット情報ａおよびカット情報ｂが、テープ印刷装置１に送信される。テープ印刷装置１は、受信したカット情報ａおよびカット情報ｂに基づき、カット情報ｂが規定するテープＴ上の位置でフルカットを行い、カット情報ａが規定するテープＴ上の位置でフルカットを行う。すなわち、テープ印刷装置１は、「１」と「２」との間の位置でフルカットを行い、「３」の後方の位置でフルカットを行う。その結果、「ＡＢＣ１」が印刷されたテープ片Ｕと、「２３」が印刷されたテープ片Ｕとが得られる。
【００９０】
以上のように、本実施形態のスマートデバイス２は、ディスプレイ２１と、タッチパネル２２と、カット情報設定部２５７とを備えている。ディスプレイ２１は、カット設定画面Ｄ２に印刷イメージＤ２ａを表示する。タッチパネル２２は、ディスプレイ２１に重ねて設けられ、カット設定画面Ｄ２に対するタップ位置を検出する。カット情報設定部２５７は、印刷イメージＤ２ａの長さ方向において、検出されたタップ位置と重なる印刷イメージＤ２ａ上の位置に対応する、テープＴ上の位置を、カット位置とするカット情報を設定する。
この構成によれば、カット設定画面Ｄ２に対してタップ操作が行われると、検出されたタップ位置と印刷イメージＤ２ａの長さ方向において重なる印刷イメージＤ２ａ上の位置に対応する、テープＴ上の位置を、カット位置とするカット情報が設定される。このため、ユーザーは、テープＴがカットされる所望の位置に対応する印刷イメージＤ２ａ上の位置と、印刷イメージＤ２ａの長さ方向において重なる位置にタップ操作を行うだけで、所望の位置にカット位置を設定することができる。したがって、本構成によれば、カット位置を設定する操作に関して、操作性の高いユーザーインターフェースを提供することができる。
【００９１】
また、本実施形態のスマートデバイス２では、ディスプレイ２１が、印刷イメージＤ２ａの長さ方向において、検出されたタップ位置と重なる印刷イメージＤ２ａ上の位置に、カットマークＭを表示する。
この構成によれば、設定されたカット情報が規定するカット位置を、カットマークＭにより、印刷イメージＤ２ａ上に表すことができる。
【００９２】
また、本実施形態のスマートデバイス２は、ディスプレイ２１と、タッチパネル２２と、カット情報設定部２５７とを備えている。ディスプレイ２１は、カット設定画面Ｄ２に、印刷イメージＤ２ａと、カットマークＭとを表示する。タッチパネル２２は、ディスプレイ２１に重ねて設けられ、カット設定画面Ｄ２においてカットマークＭに対するドラッグ操作が完了したドラッグ完了位置を検出する。カット情報設定部２５７は、ドラッグ操作が行われたカットマークＭに対応するカット情報が規定するカット位置を、印刷イメージＤ２ａの長さ方向において、検出されたドラッグ完了位置と重なる印刷イメージＤ２ａ上の位置に対応する、テープＴ上の位置に変更する。
この構成によれば、カット設定画面Ｄ２においてカットマークＭに対してドラッグ操作が行われると、ドラッグ操作が行われたカットマークＭに対応するカット情報が規定するカット位置が、検出されたドラッグ完了位置と印刷イメージＤ２ａの長さ方向において重なる印刷イメージＤ２ａ上の位置に対応する、テープＴ上の位置に変更される。このため、ユーザーは、テープＴがカットされる所望の位置に対応する印刷イメージＤ２ａ上の位置と、印刷イメージＤ２ａの長さ方向において重なる位置まで、カットマークＭに対してドラッグ操作を行うだけで、所望の位置にカット位置を変更することができる。したがって、本構成によれば、カット位置を変更する操作に関して、操作性の高いユーザーインターフェースを提供することができる。
【００９３】
また、本実施形態のスマートデバイス２は、ディスプレイ２１と、タッチパネル２２と、カット情報設定部２５７とを備えている。ディスプレイ２１は、カット設定画面Ｄ２に、印刷イメージＤ２ａと、カットマークＭとを表示する。タッチパネル２２は、ディスプレイ２１に重ねて設けられ、カットマークＭに対するタップ操作を検出する。カット情報設定部２５７は、カットマークＭに対するタップ操作が検出された場合に、カットマークＭに対応するカット情報が規定するカット法を、異なるカット法に変更する。
この構成によれば、カットマークＭに対してタップ操作が行われと、そのカットマークＭに対応するカット情報が規定するカット法が、異なるカット法に変更される。そのため、ユーザーは、カットマークＭに対してタップ操作を行うだけで、カット法を変更することができる。したがって、本構成によれば、カット法を変更する操作において、操作性の高いユーザーインターフェースを提供することができる。
【００９４】
また、本実施形態のスマートデバイス２では、ディスプレイ２１が、カット法が異なる２種のカットマークＭ（フルカットマークＭｆおよびハーフカットマークＭｈ）を、異なる色で表示する。
この構成によれば、カットマークＭに対応するカット情報が規定するカット法を、色によって表すことができる。すなわち、ユーザーは、カットマークＭの色を見れば、そのカットマークＭが示すカット位置に、フルカットが行われるのか、ハーフカットが行われるのかを、認識することができる。
【００９５】
なお、フルカッター１５１およびハーフカッター１５２は、「カット部」の一例である。装置側インターフェース１７は、「受信部」の一例である。ディスプレイ２１は、「表示部」の一例である。タッチパネル２２は、「検出部」の一例である。デバイス側インターフェース２４は、「送信部」の一例である。テープＴは、「印刷媒体」の一例である。
本発明は上記した実施形態に限定されず、その趣旨を逸脱しない範囲で種々の構成を採用可能であることは言うまでもない。例えば、本実施形態は、以下のような形態に変更することができる。
【００９６】
図１１に示すように、カット設定画面Ｄ２で、印刷イメージＤ２ａの長さ方向において、検出されたタップ位置と重なる印刷イメージＤ２ａ上の位置に、キャラクター（例えば「Ｃ」）が表示されている場合に、ディスプレイ２１が、フルカットマークＭｆと共に、メッセージボックスＢを表示するようにしてもよい。メッセージボックスＢには、「この位置にカット位置を設定しますか？」とのメッセージと共に、「はい」および「いいえ」の選択肢が表示される。
【００９７】
そして、ユーザーにより「はい」の選択肢がタップされた場合は、カット情報設定部２５７は、検出されたタップ位置と重なる印刷イメージＤ２ａ上の位置（印刷イメージＤ２ａ上の「Ｃ」に重なる位置）に対応する、テープＴ上の位置（テープＴ上の「Ｃ」に重なる位置）をカット位置とするカット情報を設定する。また、ディスプレイ２１は、引き続き、検出されたタップ位置と重なる印刷イメージＤ２ａ上の位置（印刷イメージＤ２ａ上の「Ｃ」に重なる位置）にフルカットマークＭｆを表示する。なお、ディスプレイ２１は、「はい」の選択肢がタップされる前後で、フルカットマークＭｆの表示色や点滅状態等を変えてもよい。
【００９８】
一方、ユーザーにより「いいえ」の選択肢がタップされた場合は、カット情報設定部２５７は、カット情報を設定しない。また、ディスプレイ２１は、検出されたタップ位置と重なる印刷イメージＤ２ａ上の位置（印刷イメージＤ２ａ上の「Ｃ」に重なる位置）に表示したフルカットマークＭｆの表示を消す。
【００９９】
同様に、カット設定画面Ｄ２において、カットマークＭに対し、印刷イメージＤ２ａの長さ方向においてキャラクターに重なる位置までドラッグ操作が行われた場合にも、ディスプレイ２１がメッセージボックスＢを表示するようにしてもよい。
【０１００】
この構成によれば、印刷イメージＤ２ａの長さ方向において、キャラクターに重なる位置にタップ操作或いはドラッグ操作が行われた場合に、その位置に対応するテープＴ上の位置にカット位置を設定してよいか、ユーザーに注意に促すことができる。これにより、ユーザーが、誤って、印刷イメージＤ２ａの長さ方向において、キャラクターに重なる位置にタップ操作或いはドラッグ操作を行った場合にも、キャラクターに重なる位置でフルカット或いはハーフカットが行われることを抑制することができる。
【０１０１】
また、図１２に示すように、スマートデバイス２は、カット設定画面Ｄ２に対するタッチ操作に基づいて設定されたカット情報が規定するカット位置に対し、テープＴの長さ方向における前後の少なくとも一方に、余白Ｔｓが付加されるようにしてもよい。この場合、画像データ作成部２５６は、設定されたカット情報が規定するカット位置の前後に余白が付加された画像データを作成する。また、カット情報設定部２５７は、カット情報が規定するカット位置に対し、テープＴの長さ方向における前後の少なくとも一方に余白Ｔｓが付加されるように、カット位置を補正する。これにより、例えば、図１２に示すように、「Ｃ」と「１」との間の位置に設定されたカット位置に対し、テープＴの長さ方向における前後余白Ｔｓが付加される場合、「ＡＢＣ」が印刷されたテープ片Ｕにおいては、後端部（「Ｃ」の後方）に余白Ｔｓが付加される。また、「１２３」が印刷されたテープ片Ｕにおいては、前端部（「１」の前方）に余白Ｔｓが付加される。
【０１０２】
この構成によれば、カット位置に対して余白Ｔｓが付加されたラベルＬを得ることができる。なお、カット位置に対して余白Ｔｓを付加するか否かを、ユーザーに選択させる構成であってもよい。また、ディスプレイ２１は、カット位置に対して余白Ｔｓが付加された印刷イメージＤ２ａを表示してもよい。
【０１０３】
また、図１３に示すように、ディスプレイ２１は、カット設定画面Ｄ２において、ゲージイメージＤ２ｅを表示してもよい。ゲージイメージＤ２ｅは、印刷イメージＤ２ａの長さ方向における寸法を示すものである。
【０１０４】
この構成によれば、ユーザーが所定の長さのラベルＬを作成したい場合に、カット設定画面Ｄ２に対してタップ操作を行う位置或いはドラッグ操作を完了する位置を決めるための指標を、ユーザーに提供することができる。このため、ユーザーは、例えば５ｃｍの長さのラベルＬを得たい場合に、ゲージイメージＤ２ｅが「５ｃｍ」を示すゲージイメージＤ２ｅ上の位置、或いは、印刷イメージＤ２ａの長さ方向においてこれと重なる位置をタップすればよい。
【０１０５】
カット情報設定部２５７は、カット位置変更処理において、タップ操作が行われたカットマークＭに対応するカット情報が規定するカット法を変更する代わりに、そのカットマークＭに対応するカット情報をキャンセルしてもよい。この場合、ディスプレイ２１は、カット設定画面Ｄ２において、カットマークＭに対してタップ操作が行われると、カットマークＭの表示を消す。さらに、カット情報設定部２５７は、カットマークＭに対して１回目のタップ操作が行われた場合は、そのカットマークＭに対応するカット情報が規定するカット法を変更し、２回目のタップ操作が行われた場合に、そのカットマークＭに対応するカット情報をキャンセルしてもよい。この場合、ディスプレイ２１は、カット設定画面Ｄ２において、１回目のタップ操作に対しては、例えばフルカットマークＭｆからハーフカットマークＭｈへ表示変更し、２回目のラップ操作に対しては、ハーフカットマークＭｈの表示を消す。
【０１０６】
カット情報設定部２５７は、カット情報設定処理において、設定されるカット情報が規定するカット法を、フルカットではなく、ハーフカットにしてもよい。この場合、ディスプレイ２１は、カット設定画面Ｄ２において、他領域に対してタップ操作が行われると、フルカットマークＭｆに代えて、ハーフカットマークＭｈを表示する。
【０１０７】
スマートデバイス２は、材質や厚さ等によりカットが制限されているテープＴが収容されたテープカートリッジＣがテープ印刷装置１に装着されている場合には、カットマークＭに代えて、カットが不可であることを示すカット不可マークをディスプレイ２１に表示してもよい。すなわち、スマートデバイス２は、テープ印刷装置１に装着されているテープカートリッジＣの種別を表すカートリッジ情報を、テープ印刷装置１から取得する。スマートデバイス２は、取得したカートリッジ情報が、カットが制限されているテープＴが収容されたテープカートリッジＣを表すものである場合に、カットマークＭに代えてカット不可マークを表示する。カット不可マークは、フルカットマークＭｆやハーフカットマークＭｈとは異なる色（例えば赤色）であることが好ましい。さらに、ディスプレイ２１は、テープ印刷装置１において、カット不可マークに対応するテープＴ上の位置に対して、ユーザーがハサミ等でテープＴをカットするためのカットラインを印刷するか否かを確認するメッセージを表示してもよい。
【０１０８】
情報処理装置として、スマートデバイス２に代えて、例えば、タッチパネル２２を備えたパソコンを用いてもよい。
印刷システムＳＹは、印刷装置として、テープ印刷装置１に代えて、例えば、ロール紙に対して印刷を行う印刷装置を備えてもよい。
【０１０９】
本発明は、情報処理装置を、本実施形態のスマートデバイス２のように機能させるためのプログラム（例えば、上記の対応アプリ）、およびそのプログラムを記録した記録媒体（ＣＤ−ＲＯＭ、フラッシュメモリー等）として提供することも可能である。
【符号の説明】
【０１１０】
Ｄ２…カット設定画面、Ｄ２ａ…印刷イメージ、Ｄ２ｃ…印刷ボタン、Ｄ２ｄ…戻りボタン、Ｌ…ラベル、Ｍｆ…フルカットマーク、Ｕ…テープ片。
【図１】
0006784021.tif 000002
【図２】
0006784021.tif 000003
【図３】
0006784021.tif 000004
【図４】
0006784021.tif 000005
【図５】
0006784021.tif 000006
【図６】
0006784021.tif 000007
【図７】
0006784021.tif 000008
【図８】
0006784021.tif 000009
【図９】
0006784021.tif 000010
【図１０】
0006784021.tif 000011
【図１１】
0006784021.tif 000012
【図１２】
0006784021.tif 000013
【図１３】
0006784021.tif 000014